【事件の表示】
　上記当事者間の特許第３６５２２５１号発明「カップ部を有する衣類のオーダーメイド用計測サンプル及びオーダーメイド方式」の特許無効審判事件について、次のとおり審決する。
【結　論】
　特許第３６５２２５１号の請求項１ないし８に係る発明についての特許を無効とする。
　審判費用は、被請求人の負担とする。
【理　由】
第１　手続の経緯
１．特許出願：平成１３年１月１６日
２．特許権設定の登録：平成１７年３月４日　
３．特許掲載公報び発行：平成１７年５月２５日
４．荒井通雄（以下、「請求人」という。）による本件無効審判の請求
　：平成１９年７月２５日
５．特許権者：マルコ株式会社（以下、「被請求人」という。）に対する請　　求書副本の送達：平成１９年８月１５日
　　　なお、被請求人に期間をして答弁を求めたが、期間を経過しても何ら　　の応答もなされなかった。
６．藤熊芳江（以下「参加人」という。）による被請求人側への参加申請書　　の提出：平成１９年１１月１２日
７．請求人、被請求人に対する参加申請書副本の送達：平成１９年１１月２　　９日発送
８．参加許否の決定（参加の申請の許可）：平成２０年１月１１日発送
９．参加人による上申書１の提出：平成２０年１月１６日
１０．請求人、被請求人に対する上申書１副本の送付
　：平成２０年１月２５日発送
１１．請求人による口頭審理陳述要領書の提出、参加人による口頭審理陳　　　　述要領書（１）、（２）の提出、及び口頭審理の実施：平成２０年３　　　月６日
　　　　なお、被請求人側に口頭審理への出頭を求めたが、何人も出頭しな　　　かった。
１２．参加人による上申書２の提出：平成２０年３月２１日
１３．参加人による証拠説明書及び上申書３の提出：同年３月３１日
１４．請求人による第１回弁駁書（平成２０年３月２１日付け）及び第２回　　　弁駁書（同年３月２８日付け）の提出：平成２０年４月２日　
　
第２　本件特許発明
　本件特許の特許請求の範囲の請求項１ないし８に係る発明（以下、それぞれ「本件特許発明１ないし８という。）は、登録時の明細書及び図面の記載からみて、その特許請求の範囲の請求項１ないし８に記載された事項により特定される、次のとおりのものと認める。
「【請求項１】
　バージスサイズを変えた複数のカップ受部と、１つのバージスサイズにおいてカップ高さを変えた複数のカップ部との組み合わせからなり、カップ受部に対してカップ部を着脱可能に設けてなるカップ部を有する衣類のオーダーメイド用計測サンプル。
【請求項２】
　バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けてなるカップ部を有する衣類のオーダーメイド用計測サンプル。
【請求項３】
　カップ受部の上端縁とカップ部の下端縁にそれぞれ設けた一対の面ファスナーによってカップ受部とカップ部を着脱可能とした請求項１又は２記載のカップ部を有する衣類のオーダーメイド用計測サンプル。
【請求項４】カップ受部とバック部をかぎホックによって着脱可能とした請求項２又は３記載のカップ部を有する衣類のオーダーメイド用計測サンプル。
【請求項５】バージスサイズを変えた複数のカップ受部と、１つのバージスサイズにおいてカップ高さを変えた複数のカップ部との組み合わせからなり、カップ受部に対してカップ部を着脱可能に設けることにより、カスタムサイズのカップ部を有するオーダーメイド用計測サンプルの試着を可能としたことを特徴とするカップ部を有する衣類のオーダーメイド方式。
【請求項６】バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けることにより、カスタムサイズのカップ部を有するオーダーメイド用計測サンプルの試着を可能としたことを特徴とするカップ部を有する衣類のオーダーメイド方式。　　　　　　　　　
【請求項７】カップ受部の上端縁とカップ部の下端縁にそれぞれ設けた一対の面ファスナーによってカップ受部とカップ部を着脱可能とした請求項５又は６記載のカップ部を有する衣類のオーダーメイド方式。
【請求項８】カップ受部とバック部をかぎホックによって着脱可能とした請求項６又は７記載のカップ部を有する衣類のオーダーメイド方式。」
　　
第３　請求人の主張
１．請求の趣旨
　請求人、上記第１、４の審判請求書において、
「特許第３６５２２５１号発明の請求項１ないし８に記載された発明についての特許を無効とする。審判費用は被請求人の負担とする。」との審決を求め、概略、次のように主張している。
「本件特許発明１ないし８は、本願出願前に日本国内において頒布された刊行物である甲第１号証ないし甲第６号証に記載された発明に基いて、その発明の属する技術の分野における通常の知識を有する者が特許出願前に容易に発明をすることができたものであるから、特許法第２９条第２項の規定により特許を受けることができないものであり、特許法第１２３条第１項第２号に該当し、本件特許は無効とすべきものである。」
　
２．証拠方法
　請求人は上記主張を立証するため、次の証拠方法を提出している。
（１）甲第１号証：特開平８−１５８１１１号公報
（２）甲第２号証：「Ｄｕｂｕｌｅｖｅ’（デューブルベ）」と称する株式　　　会社ワコールのセミオーダーシステムに関するカタログ
（３）甲第３号証；特開２０００−６４１０４号公報
（４）甲第４号証；「手作りランジェリー」レディブティックシリーズ通巻　　　１４０４号
（５）甲第５号証；特表平９−５０４６３６号公報
（６）甲第６号証；特開平７−３１６９０９号公報
　　　
第４　被請求人の主張
　被請求人は、上述のとおり、審判請求書に対する答弁書を提出しておらず、また、口頭審理にも出頭せず、請求人の主張に対し、なんら反論をしていない。
　
第５　参加人の主張
　参加人は、上申書１において、「本件審判請求はいずれも成り立たない。審判費用は請求人の負担とする。」との審決を求め、上申書１ないし３、及び口頭審理陳述要領書１、２を総合すると概略次のとおり主張している。
「甲第１号証に記載された実施形態のブラジャーを前提に、カップ部が交換可能であるとするならば、甲第１号証のカップ受部の凹部の湾曲形状が乳房の描く実際のバージスラインとは合致しておらず、無関係であり、乳房の描く実際のバージスラインに沿わせつつカップ部を交換しようにも、凹部の湾曲形状は可変ではないから、そのような構成を採ることができないものである。
　したがって、甲第１号証に記載されたブラジャーをもって、甲第２号証のバージスサイズに関する開示事項と組み合わせることには積極的な阻害事由があり、体型にフィットするブラジャーを簡易好適に得る計測サンプルへ応用することは、当業者にとって容易に想到し得るものではない。
　甲第１号証の段落【００３１】には、「ワイヤーポーン４が装着手段のカップ用凹部１ａの周縁に配設されている」との記載がある。
　しかし、ワイヤーボーンが乳房の下支えする作用を果たす場合でも、必ずしも十分に乳房のバージスラインと適合したものが提供されていたわけでもないことから、ワイヤーボーンがあるからといって、バージスラインとジャストフィットしているとは限らない。また、甲第１号証の実施形態のブラジャーにおけるワイヤーボーンの作用に鑑みるに、平面ファスナーで係止する部分を強化するのが主眼であって、一般的なワイヤーボーンの作用で望まれるようにバージスラインと適合させる必然性も見出せない。したがって、ワイヤーボーンという記載があっても、装着手段１の下部湾曲が乳房のバージスサイズに適合していることを導出することはできない。
　また、甲第１号証の段落【００３０】は以下の記載がある。
「着用者は、アンダーバストに合わせて装着手段１を選択し、右バストに合ったカップ部を有するカップ部材２を選択し、左バストに合ったカップ部を有するカップ部材２を選択した後、カップ部材のカップ止着部２ｂ，２ｂをそれぞれ装着手段のカップ係着部１ｂ，１ｂに係止することで、右バスト、左バスト、アンダーバスト全てにフィットするファウンデーションを着用することができる。」
　しかし、「アンダーバスト」に関しては、ＪＩＳ工業用語大辞典第５版、ＪＩＳＬ０１１１「衣料のための身体用語』に規定されており、アンダーバストとは「女子の乳房直下における胸部の水平周囲長」のことである。
　この定義からも明らかなように、「アンダーバストに沿わせて装着手段１を選択し、」という文言は、あくまで、乳房直下の周囲にぴったり沿わせて装着手段１を装着させたというにとどまる。同段落の記述中には、バージスラインについて直接の言及はなく、以下のとおり、これに直結するものでもない。
　すなわち、同段落には、続いて、右バスト、左バストそれぞれのカップ部材を選択し、これらを係止すれば「右バスト、左バスト、アンダーバスト全てにフィットするファウンデーションを着用することができる」とある。つまり、甲第１号証に示された実施態様は、(1)アンダーバストを選び、(2)カップ部材を選べばよいというだけのものであることがわかる。これだけでフィットするとのことである。
　事実、甲第１号証の段落【０００９】の記述をみてみると、「カップ部の形状、サイズ、材質に特に制限はない」、「好ましくは、カップ部の外形が同じで肉厚が異なって収容できるバストのサイズが異なるもの等を各バストサイズ毎に設けるのが望ましい」とのことであり、(1)アンダーサイズを決めて、そこに(2)様々なカップ部が組合わせることのみである。
　
第６　当審の判断
１．甲第１号証に記載された発明
　特開平８−１５８１１１号公報（以下「甲第１号証」という。）には、ブラジャーに関し、図面とともに次のように記載されている。
（ａ）「【０００２】
【従来の技術】従来、この種のファウンデーションは、バストを収容する一対のカップとこのカップを身体胴部に装着するための装着手段とが一体に縫合された構成を有し、複数の着用者に対応するために、１つのデザインに対してアンダーバストやバストのサイズが異なる数種類のサイズが用意されている。その為、各着用者は自分の好みのデザインのものの中から自分のアンダーバストやバストのサイズに最もフィットするものを選んで着用する。
【０００３】しかしながら、バストのサイズは、複数の着用者の間のみで異なることではなく、各着用者の左右の間でも異なる。一方、上記ファウンデーションにおいて、左右一対のカップは等しいサイズに形成されている。その為、大きい方のバストはカップにフィットするが小さい方のバストはカップにフィットしないという問題点があった。
【０００４】また、従来においては、カップ内にバストパッドを装着することで、バストラインを矯正し、バスト形状を整えることが行われている。
【０００５】しかしながら、上述したように着用者の左右のバストのサイズが異なると、バストとカップとの間の隙間はバストが大きい方で少なくバストが小さい方で大きくなるため、バストパットによる矯正効果はバストが大きい方で大きく小さい方で小さくなって、左右のバストサイズのアンバランスが助長されてしまい、思い通りの矯正効果を得ることができないという問題点があった。
【０００６】
【発明が解決しようとする課題】従って、本発明の目的は、アンダーバストのみならず、左右両方のバストがそれぞれのカップにフィットするファウンデーションを提供することにある。
【０００７】また、本発明の他の目的は、バストパッドによるバストラインの矯正効果を、左右のバストで同等に得ることができるファウンデーションを提供することにある。」（段落【０００２】〜【０００７】）
（ｂ）「【０００９】本発明において、上記カップ部については、その形状、サイズ、材質等について特に制限されるものではないので従来公知のものをそのまま採用してもよいが、好ましくは、カップ部の外形が同じで肉厚が異なって収容できるバストのサイズが異なるもの等を各バストサイズ毎に設けるのが望ましい。これにより、左右のバストサイズのアンバランスを矯正して、左右のバストの外形を揃えることができる。
【００１０】上記カップ部材を係止して身体胸部の所定位置に装身させるための上記装着手段については、ファウンデーションの種類、すなわちブラジャー、ブラスリップ、ボディースーツ等に応じて従来公知の形状、サイズ、材質等をそのまま採用することができる。」
（段落【０００９】〜【００１０】）
（ｃ）「【００２８】実施例１
図１〜図６において、本発明の実施例に係るファウンデーションであるブラジャーＢ１が示されている。このブラジャーＢ１は、基本的には、バストを収容するカップ部２ａ及びそのカップ部の周縁に形成されたカップ止着部２ｂからなる一対のカップ部材２と、上記各カップ部２ａの周縁と適合する一対のカップ用凹部１ａ及びそのカップ用凹部１ａの周縁に形成されたカップ係着部１ｂを有し、上記カップ部２ａを身体胸部に装着する装着手段１とで構成されている。また、上記カップ部２ａの周縁全周に亘ってパッド係着部２ｃが設けられると共に、上記パッド係着部２ｃに係脱可能なパッド止着部３ａを有するバストパッドａが装着されている。更に、上記カップ部２ａの周縁には、その全長に沿って、着用者のバスト形状を維持するためのワイヤボーン４が設けられている。
【００２９】そして、上記カップ係着部１ｂと上記パッド係着部２ｃとが、多数の柔軟パイルを有する起毛パイル製の縁取りテープで構成されると共に、上記カップ止着部２ｂと上記パッド止着部３ａとが、多数の鉤小片が植設された構成になっていて、上記カップ係着部１ｂが上記カップ止着部２ｂに、上記パッド係着部２ｃが上記パッド止着部３ａにそれぞれ固着できるようになっている。
【００３０】従って、着用者は、アンダーバストに合わせて装着手段１を選択し、右バストに合ったカップ部を有するカップ部材２を選択し、左バストに合ったカップ部を有するカップ部材２を選択した後、カップ部材のカップ止着部２ｂ，２ｂをそれぞれ装着手段のカップ係着部１ｂ，１ｂに係止することで、右バスト、左バスト、アンダーバスト全てにフィットするファウンデーションを着用することができる。また、上記バストパッドのパッド止着部３ａを上記パッド係着部２ｃに係止することで、左右のバストを同程度に矯正することができて、思い通りの矯正効果を得ることができる。更に、カップ２ａの周縁全周に亘ってバストパッド３を移動させながら自己のバスト形状を整え、バストの形状（外形）や位置を自己のバストに合わせて希望どおりに調整でき、また、カップ２ａ内におけるバストパッド３の取付位置を上記パッド係着部２ｃに沿って微妙に変更することにより、自己のバストの形状、大きさ、位置等に応じて優れた着用感を得ることができる。」
（段落【００２８】〜【００３０】）
　
　上記摘示事項（ａ）の段落【０００６】に記載された「左右両方のバストがそれぞれのカップにフィットするファウンデーション」、摘示事項（ｃ）の段落【００３０】に記載された「右バストに合ったカップ部を有するカップ部材２、左バストに合ったカップ部を有するカップ部材２」等における「バスト」は、ブラジャーとしての機能からみて、カップあるいはカップ部材２が収容する乳房を意味すると解すべきである。
　また、摘示事項（ｃ）段落【００３０】に記載された「着用者は、アンダーバストに合わせて装着手段１を選択し、右バストに合ったカップ部を有するカップ部材２を選択し、左バストに合ったカップ部を有するカップ部材２を選択した後、カップ部材のカップ止着部２ｂ，２ｂをそれぞれ装着手段のカップ係着部１ｂ，１ｂに係止すること」からみて、装着手段１はアンダーバスト（女子の乳房直下における胸部の水平周囲長）毎に用意され、収容する乳房のサイズを変えた複数のカップ部材２と組み合わされ、アンダーバストに合った装着手段１と左右の乳房のサイズに適合したカップ部材２がそれぞれ選択され、これらが係止されてブラジャーが構成されるということができる。
　そして、摘示事項（ｃ）の【００２９】に記載された「そして、上記カップ係着部１ｂと上記パッド係着部２ｃとが、多数の柔軟パイルを有する起毛パイル製の縁取りテープで構成されると共に、上記カップ止着部２ｂと上記パッド止着部３ａとが、多数の鉤小片が植設された構成になっていて、上記カップ係着部１ｂが上記カップ止着部２ｂに、上記パッド係着部２ｃが上記パッド止着部３ａにそれぞれ固着できるようになっている。」からみて、カップ部材２は、装着手段１のカップ用凹部１ａに対し着脱可能に取り付けられているものといえる。
　したがって、以上の記載及び各図の図示内容を総合すると、甲第１号証には、次の発明（以下「甲第１号証発明」という。）が記載されているものと認められる。
「アンダーバスト毎に用意され、各カップ部（２ａ）の周縁と適合する一対のカップ用凹部（１ａ）及びそのカップ用凹部（１ａ）の周縁に形成されたカップ係着部（１ｂ）を有する装着手段（１）と、収容する乳房のサイズを変えた複数のカップ部材（２）との組合せからなり、装着手段（１）に対しカップ部材（２）を着脱可能に設けてなるブラジャー。」
　
（２）甲第２号証に記された技術的事項
「Ｄｕｂｕｌｅｖｅ’（デューブルベ）」と称する株式会社ワコールのセミオーダーシステムに関するカタログ（以下「甲第２号証」という。）は、１頁目の下端に「カタログ有効期間：２０００年８月１日〜２００１年１月３１日」と記載されていることから、遅くとも本願出願日である平成１３年（２００１年）１月１６日以前に頒布された刊行物ということができる。
　そして、甲第２号証２頁目の右欄には、ブラジャーのセミオーダーシステムに関連して次のように記載されている。
（ａ）「本来ブラの役割は、バストラインを美しくととのえて下垂を防ぐこと。」
（ｂ）「しかも、トップとアンダーだけの採寸だけでなく、オリジナル測定器（バージスメジャー）でバストの底面周径サイズ（バージスサイズ）の測定や、ゲージブラでのフィット感の確認等を行ったうえで、コンサルタントがブラの「フィット診断」を行い、全１２４８サイズのブラの中から最適なブラをご提案。」　
　
（３）甲第３号証に記載された技術的事項
　特開２０００−６４１０４号公報（以下「甲第３号証；」という。）の段落【０００２】及び【０００４１】には、ブラジャーに関連して次のように記載されている。
（ａ）「【０００２】
　　【従来の技術】
　ブラジャーは乳房をサポートする保護機能を有するだけでなく、かたち良く整えて持ち上げるバストアップ機能を有している。そして、このブラジャーの一種として、左右一対の乳房を覆うカップ部の下方湾曲部に、半円弧状（ほぼＵ字状）のカップワイヤー部が縫い込まれたワイヤフォーム型のブラジャーが広く知られている。」
（ｂ）「【００４１】
　図示の通り、左右一対の乳房を覆うカップ部１Ｌ，Ｒは下カップ布１１Ｌ，Ｒと上カップ布１２Ｌ，Ｒをそれぞれ縫着して形成されており、下カップ布１１Ｌ，Ｒのそれぞれの下縁湾曲部（下方の湾曲した縁部）には、半円弧状のワイヤ２Ｌ，Ｒ（図２参照）が縫い込まれたカップワイヤー部２１Ｌ，Ｒが縫着されている。このワイヤー２Ｌ，Ｒは、形状記憶合金などの金属や剛性のあるプラスチック等で成形されており、乳房のバージスラインに好適にフィットする形状をなしている。そして、ワイヤー２Ｌ，Ｒは不織布などの柔らかい素材からなるバイアステープに包まれて縫い込まれており、前述の下カップ布１１Ｌ，Ｒおよび上カップ布１２Ｌ，Ｒとこのカップワイヤー部２１Ｌ，Ｒにより左右一対のカップ部１Ｌ，Ｒが構成されている。」
　
（４）甲第４号証に記載された技術的事項
「手作りランジェリー」レディブティックシリーズ通巻１４０４号（以下「甲第４号証」という。）は、本願出願日前の１９９９年３月２０日発行された刊行物であり、その第５２頁、第５３頁のイラストには、ブラジャーが胸布Ａ、Ｂ（カップ部に相当）と、胸布Ａ、Ｂと組み合わされるベルトＡ（カップ受け部に相当）及びベルトＡと連結されるベルトＢ（バック部に相当）で構成することが図示されている。
　
（５）甲第５号証に記載された技術的事項
　特表平９−５０４６３６号公報（以下「甲第５号証」という。）には、図面とともに次のように記載されている。
「（ａ）「発明の開示
本発明は、注文服仕様の衣服のためのシステム及び方法であって、寸法の異なる試着服を数多く用いて最終製品を作製するものである。システムは、数多くの試着服（ｔｒｙ−ｏｎ　ａｐｐａｒｅｌｓ）とそれらの各寸法の追跡を続けるために使用される。
　顧客がこれら試着服の１つを試しに着用したとき、システムと関連づけられた装置により、試着服の適合性について顧客の回答を集める。もし、試着服が適合しない場合、システムは所定の基準（ｒｕｌｅｓ）に基づいて、次の試着服の着用を提案する。顧客が特定の試着服について満足し、衣服の購入を希望すると、それは製造システムに報告され、顧客に承認された試着服の寸法に相当する衣服が最終製品として得られるように、裁断、縫製、処理される。」（１７頁１８〜２６行）
（ｂ）「本発明の望ましい実施例においては、各々が互いに寸法の異なる相当数の試着服（１０）が、販売店にて、容器又は棚（２０）の如きラックの中に準備されている。取出しを容易に行なうために、棚（２０）の中の区画部（３０）には、所定数の試着服（１０）が入れられている。ここでは、５着の異なる試着服（１０）が区画部（３０）の中に入れられた状態が示されている。この実施例では、各々が互いに寸法の異なる約５００着もの試着服が入れられている。望ましい実施例において、これらの服は通常は在庫品として用いられるのではなく、試着服として保存される。
　望ましい実施例において、試着服（１０）は、それら寸法のサイズ変化に応じて、棚（２０）の中に保存される。例えば、婦人用ズボンの場合、ウエストサイズ２４の試着服（１０）は、棚（２０）の第１カラムの中に入れられ、各区画部（３０）では同じヒップサイズの試着服が５着収容される。ヒップサイズは、５着の試着服（１０）が入れられた各区画部（３０）毎に１インチずつ大きくなっている。区画部（３０）の中には、ウエストとヒップが特定の組合せの試着服（１０）が５着ずつ収容されており、各試着服の股上の寸法値は夫々異なっている。図示のように、本発明の方法は、例えば婦人用ジーンズの如く、選択されたデザインと形状（ｃｏｎｆｉｇｕｒａｔｉｏｎ）に対する寸法と共に、販売店のために作られるべき試着服（１０）の数を決定するために使用される。
　図１をさらに参照すると、システム（４０）は販売店で使用され、棚（２０）の中の各試着服（１０）の寸法を格納するために用いられる。追加のシステム又は端子（４２）を同様に使用することができる。本発明の方法及び装置によれば、顧客は試着服（１０）を選択し、サイズ合わせした情報を店員に報告し、システム（４０）の中に入力される。もし最初の選択したものが顧客の要望に合わない場合、システム（４０）は、顧客のサイズ合わせ情報に応じて次の試着服（１０）を試すように奨める。」（第２０頁７行〜第２１頁２行）
　
（６）甲第６号証に記載された技術的事項
　特開平７−３１６９０９号公報（以下「甲第６号証」という。）の（段落【０００４】〜【０００６】）には、図面とともに次のように記載されている。
「【０００４】
【課題を解決するための手段】衿なし洋服の左右の前身頃（１）と左右の後身頃（２）の複数箇所に生地を重ねた縫合部（３．４．５．６．８．９．１０）を設けて分断し、肩の縫合部（７）と袖の縫合部（１１．１２）も生地を重ねて分断し、その各分断箇所に目盛部（１３．１４．１５．１６．１７．１８．１９．２０．２１）を設けたことを特徴とする技術で上記の課題を解決した。
【０００５】
【作用】本発明は上記のように構成されているので採寸時に体型把握用洋服を試着することによって各人の体型の厚み、反り、前かがみ、肩の上り、下がり、肩の左右の勾配の違いなどをそれぞれの縫合部の合わせを浅くしたり深くしたりすることによって服地を無理なく身体に添わせることができ、分断箇所に設けてある目盛で分断箇所の開き具合の採寸も同時に容易に行うことができる。
【０００６】
【実施例】次に図面を参照しながら本発明の体型把握用洋服を説明する。前身頃の縫合部（３．４．５．６）、肩の縫合部（７）、後身頃の縫合部（８．９．１０．）、袖の縫合部（１１．１２）を標準寸法で仮縫いをしておく。次に体型別の採寸方法を説明する。上半身が反っている人（胸の出ている人）は、前身頃が吊り上がり左右の前身頃が重なり過ぎるので前身頃の縫合部Ａ（３）、Ｂ（４）、Ｃ（５）、Ｄ（６）の縫合を浅くすることによって前身頃の裾を平に調整し、上半身が反ることによって生じる後身頃の裾の垂れは後身頃の縫合部Ａ（８）、Ｂ（９）、Ｃ（１０）の縫合を深く（縫い込みを多くする）することによって後身頃の裾を平にする。反対に上半身が前かがみの人は前身頃が垂れ下がり左右の身頃の裾が開いてしまうので前身頃の縫合部Ａ（３）、Ｂ（４）、Ｃ（５）、Ｄ（６）の縫合を深くすることによって前身頃の裾を平にし、前かがみの人の後身頃は吊り上がっているので後身頃の縫合部Ａ（８）、Ｂ（９）、Ｃ（１０）を浅くすることによって後身頃の裾を平にする。左右の腕の長短、及び肘の曲り具合は、腕の形に添って袖の縫合部Ａ（１１）、Ｂ（１２）を調整する。肩の上り下がりは厚い肩パット、薄い肩パットを数種類用意して各人の肩に合わせて縫合する。洋服の採寸を行いながら同時に体型の歪みが各部の目盛（１３）、（１４）、（１５）、（１６）、（１７）、（１８）、（１９）、（２０）、（２１）によって把握できる。上半身の体型に服地を添わせてそれぞれの縫合部で調整し採寸を行う。各縫合部に接着具（マジックテープ等）を設ければ、待ち針、しつけ縫いを必要としない。」
　
２．本件特許発明１について
（１）本件特許発明１と甲第１号証発明との対比
　本件特許発明１と甲第１号証発明とを対比すると、その機能や形状等からみて、甲第１号証発明の「カップ部（２ａ）」は本件特許発明１の「カップ部」に相当し、同様に、「各カップ部（２ａ）の周縁と適合する一対のカップ用凹部（１ａ）及びそのカップ用凹部（１ａ）の周縁に形成されたカップ係着部（１ｂ）を有する装着手段（１）」は「カップ受部」に相当し、「ブラジャー」は「衣類」に含まれるものである。
　そして、乳房のサイズと乳房の高さが相関関係にあることは明白であるから、甲第１号証発明における「収容する乳房のサイズを変えた複数のカップ部材（２）」も「カップ高さを変えた複数のカップ部」ということができる。
　したがって、本件特許発明１と甲第１号証発明との一致点及び相違点は、次のとおりである。
〈一致点〉
「複数のカップ受部と、カップ高さを変えた複数のカップ部との組み合わせからなり、カップ受部に対してカップ部を着脱可能に設けてなるカップ部を有する衣類。」
〈相違点１〉
　本件特許発明１においては、カップ受部がバージスサイズを変えた複数のものであり、１つのバージスサイズにおいてカップ高さを変えた複数のカップ部が組み合わせられるのに対し、甲第１号証発明においては、装着手段（１）がアンダーバストサイズ毎に用意された複数のものであり、各装着手段（１）に左右のバストのサイズに適合したカップ部材（２）が組合せられるものの、カップ用凹部（１ａ）がバージスサイズを変えたものであるのか否か、そして、カップ部材（２）が１つのバージスサイズにおいてカップ高さを変えたものであるのか否か明確ではない点。
〈相違点２〉
　本件特許発明の衣類は、オーダーメイド用計測サンプルであるのに対し、甲第１号証発明は、ブラジャーである点。
　
（２）相違点についての検討及び判断
（２−１）相違点１について
　本件特許発明１の相違点１に係る構成の技術的意義について検討する。
　本件明細書の段落【００１０】及び【００３３】には、本件特許発明１の技術的課題として次のように記載されている。
「【００１０】
　このように構成すれば、顧客のバージスサイズ及びカップ高さにフィットしたカップ受部とカップ部を選定することが容易であり、顧客はカスタムサイズのカップ部を有する計測サンプルを試着した上で注文することができるので、着用時にフィット感のある衣類を提供できるとともに、あらかじめそのフィット感を確認した上で注文することができるオーダーメイド方式を提供することができる。」
「【００３３】
　このように構成されたオーダーメイド用計測サンプルを用いて、オーダーメイドのブラジャーを提供する際には、まず、カップ受部２を着用者のバージスラインに当て、バージスサイズの合うものを選択し、次にそのカップ受部２にそのバージスサイズにおいて展開された様々なカップ高さのカップ部１の中からカップ高さの合うものを選択してカップ受部２に面ファスナーを介して連結する。そして、着用者の体形に合ったバック部３を選択してカップ受部２にかぎホックで位置調整しながら連結させ、最後に肩ストラップ４をバック部３の適当な位置に連結することにより、カスタムサイズのオーダーメイド用計測サンプルを試着させ、全体としてのフィット感を確認して採寸を終わることになる。したがって、確定した計測サンプルに基づいてブラジャーを製造すれば、着用者の体型に完全に合い、好ましいフィット感が得られるブラジャーを提供することができる。」
　これらの記載からみて、本件特許発明１の相違点１に係る構成の技術的意義は、種々のバージサイズ（乳房の下縁の半円状の輪郭線（バージスライン）の曲率）を有する複数のカップ受部２を用意し、顧客がその中から自分のバージスサイズに最も適合するものを選択し、その上で、当該バージスサイズを有し、カップ高さを変えた複数のカップ部から、顧客のバスト（乳房）の高さに適合するものを選択し、顧客のバージサイズ及びバストの高さの双方に適合するオーダーメイド用計測サンプルを構成することにあると解することができる。
　一方、甲第１号証には、摘示事項（ａ）における段落【０００６】に、【発明が解決しようとする手段】として「従って、本発明の目的は、アンダーバストのみならず、左右両方のバストがそれぞれのカップにフィットするファウンデーションを提供することになる。」と記載され、摘示事項（ｃ）における段落【００２８】に、実施例として「本発明の実施例に係るファウンデーションであるブラジャーＢ１が示されている。このブラジャーＢ１は、基本的には、バストを収容するカップ部２ａ及びそのカップ部の周縁に形成されたカップ止着部２ｂからなる一対のカップ部材２と、上記各カップ部２ａの周縁と適合する一対のカップ用凹部１ａ及びそのカップ用凹部１ａの周縁に形成されたカップ係着部１ｂを有し、上記カップ部２ａを身体胸部に装着する装着手段１とで構成されている。」と記載されている。
　上記記載によれば、甲第１号証発明において、装着手段（１）はアンダーバスト毎に用意され、そのカップ用凹部（１ａ）が左右の乳房のサイズに適合した各カップ部（２ａ）の周縁と適合するように形成されていると解することができるものの、カップ用凹部（１ａ）の周縁とカップ部（２ａ）の周縁が、その曲率を含め、どのような形状に選定されているのか明確ではない。
　そこで、甲第１号証発明におけるカップ部（２ａ）及びカップ用凹部（１ａ）の周縁形状について次に検討する。
（２−１−１）甲第１号証発明におけるカップ部（２ａ）の周縁形状
　前述のように、甲第１号証には、甲第１号証発明の目的として、左右両方の乳房がそれぞれのカップにフィットするブラジャーを提供することが挙げられている。
　ここで、一般に乳房は、胸等にある隆起部と定義されるが、当該隆起部は、乳房の高さを含め、境界線となる乳房の外周縁部から頂点に到るまでの立体形状で特定されるものであり、乳房がカップにフィットする状態とは、乳房がカップに収容されている状態で、乳房の立体形状がカップ内側に形成される立体形状に適合し、甲第１号証の摘示事項（ａ）における段落【０００５】に記載された、装着者が希望する矯正効果を得る状態ということができる。
　甲第２号証の摘示事項（ａ）、（ｂ）及び甲第３号証の摘示事項（ａ）をも参酌すれば、甲第１号証に記載された、装着者が希望する矯正効果として、乳房がカップに収容されている状態で、乳房の立体形状をカップ内側に形成される立体形状に適合させることにより、乳房の外周縁部のうち下方周縁部から頂点に到る部分を持ち上げ、カップ内側に形成される内面立体形状により、バストラインを整えることが含まれることは当業者にとって明白である。
　したがって、甲第１号証に、「バストパッドによるバストラインの矯正効果を左右のバストで同等に得ることができるファウンデーションを提供することにある。」（摘示事項（ａ）における段落【０００７】）、「カップ部の外形が同じで肉厚が異なって収容できるバストのサイズが異なるもの等を各バストサイズ毎に設けることが望ましい。」（摘示事項（ｂ）における段落【０００９】）と記載されているとしても、少なくとも左右の乳房の一方については、そのサイズに適合したカップ部材（２）として、乳房を収容した状態で、下方周縁部が乳房の下方周縁部、すなわちバージスラインに可能な限り近接して配置されるとともに、その内面立体形状が、乳房の高さを含め、外周縁部から頂点に到るまでの立体形状に適合したものを選択することにより、乳房の下部周縁部から頂点に到る部分を持ち上げ、乳房の形状を矯正するよう設計すべきことも十分に示唆されているということができる。
　
（２−１−２）甲第１号証発明におけるカップ用凹部（１ａ）の周縁形状　　甲第１号証における摘示事項（ａ）における段落【００２８】には、各カップ部（２）の周縁とカップ凹部（２ａ）の周縁が適合することが、また、段落【００３０】には、カップ部（２）の下部周縁部に形成されたカップ部止着部（２ｂ）が装着手段（１）のカップ係着部（１ｂ）に係止することが記載され、さらに、【図２】には、カップ部（２）のカップ部止着部（２ｂ）と装着手段（１）のカップ係着部（１ｂ）が、それぞれ特定の周径及び曲率を有する弧状に形成された下部周縁部を有し、それらが互いに止着される様子が図示されている。
　装着者に応じて左右の乳房のサイズ及び立体形状は大きく異なるものであり、個々のサイズ、立体形状毎に、その下方周縁部の曲率や周径が大きく異なることはいうまでもないことである。
　したがって、甲第１号証発明において、仮に装着手段（１）のカップ係着部（１ｂ）の曲率や周径が、アンダーバストにかかわらず、例えば、平均的なカップ部の下部周縁部の曲率や周径に合わせて予め定められた一律のものであるとすれば、選定されたカップ部が大小特異サイズの場合、その下部周縁部の曲率や周径が大きく異なることとなり、これらの周縁が適合したものであるとはいうことはできなくなる。
　しかも、このような場合、上記のように、カップ部（２）の下部周縁部に形成されたカップ部止着（２ｂ）を、装着手段（１）のカップ係着部（１ｂ）に係着しようとしても、なんらかの手段を講じない限り、両者間の曲率や周径のずれが大きくなり、いずれかに大きなたるみや、つれが生じ、ブラジャーとして体をなさない蓋然性が高いと解される。
　したがって、甲第１号証発明において、カップ部（２）の周縁とカップ凹部（２ａ）の周縁を適合させるに当たり、両者の曲率や周径を適合させることが好ましいことは、当業者が十分に予測し得ることである。
　
（２−１−３）相違点１についてのむすび
　甲第２号証には、ジャストフィットするブラジャーを製造するため、バージスサイズを合わせることが示されている。
　したがって、上述した甲第１号証発明におけるカップ部（２ａ）及びカップ用凹部（１ａ）の周縁形状についての検討をも踏まえれば、甲第１号証発明において、左右の乳房の各サイズに適合した複数のカップ部材（２）として、乳房を収容した状態で、その下方周縁形状が、種々の乳房の下方周縁部、すなわちバージスラインに可能な限り近接して配置されるよう種々の形状を有し、乳房の下部周縁部から頂点に到る部分を持ち上げて形状を矯正するよう、高さ等の内面立体形状が種々異なるものを用意するとともに、各下方周縁形状に概ね適合するカップ凹部（２ａ）を備えた装着手段を用意することは、当業者が当然考慮すべき程度の設計的事項というべきであって、これを妨げる特段の事情も見当たらず、当業者が格別の困難を伴うことなく採用し得ることである。
　このことは、結局、バージスサイズを変えたカップ凹部（１ａ）を備えた装着手段を用意し、１つのバージスサイズにおいて高さを含む立体形状を変えた複数のカップ部（２ａ）を組み合わせることにほかならないから、本件特許発明１の相違点１に係る構成とすることは、当業者が容易に想到し得ることというべきである。
　
（２−２）相違点２について
　甲第１号証発明は、結局各パーツを装着者に適合するように選択して製品化する組み合わせブラジャーであるのに対し、本件特許発明１は、衣類のオーダーメイド用計測サンプルである。
　しかしながら、甲第１号証発明においても、複数用意された装着手段及びカップ部から、装着者に最適なものが選択され、その装着者にとって最適なブラジャーが組み合わされたとすれば、装着者が、再度の選択を経ずその再現を求めるであろうことは、当業者からみれば、当然に予測し得ることというべきである。
　しかも、甲第５号証及び甲第６号証には、複数の試着服あるいは体型把握用洋服を用意し、これらを着用して、最適なものを選択したり、採寸して最終製品を裁断、縫製することが示されており、これら複数の試着服あるいは体型把握用洋服を衣類のオーダーメイド用計測サンプルとして利用することが記載されている。
　したがって、甲第５号証及び甲第６号証をも参酌すれば、甲第１号証発明のブラジャーを、オーダーメイドブラジャーの採寸に用いることにより、本件特許発明１の相違点２に係る構成とすることは当業者が容易に想到し得ることである。
　
（３）本件特許発明１についてのむすび
　本件特許発明１を全体構成でみても、甲第１号証発明並びに甲第２号証、甲第３号証、甲第５号証及び甲第６号証に記載された技術的事項から予測できる作用効果以上の顕著な作用効果を奏するものではない。
　したがって、本件特許発明１は、本願出願前に日本国内において頒布された刊行物である甲第１号証ないし甲第３号証並びに甲第５号証及び甲第６号証に記載された発明に基いて、その発明の属する技術の分野における通常の知識を有する者が特許出願前に容易に発明をすることができたものである　
　
３．本件特許発明２について
　本件特許発明２と甲第１号証発明とを対比すると、上記相違点１及び２に加え、次の点で相違する。
〈相違点３〉
　本件特許発明２は「一つのカップ受部において寸法の異なる複数のバック部」を有しているのに対し、甲第１号証発明は、このような複数のバック部を有していない点。
　
　相違点１及び２については既に検討したので、相違点３について検討する。
　一般に衣類を複数のパーツに分け、これらを組み合わせることは、本願出願前より広く行われているものと解されるところ、甲第４号証には、ブラジャーをカップ部と、カップ部と組み合わされるベルトＡ（カップ受け部に相当）、これらベルトＡと連結されるベルトＢ（バック部に相当）に分け、これらを縫製することによりブラジャーを構成することが示されている。
　そして、甲第１号証の摘示事項（ｃ）の段落【００３０】の記載によれば、ブラジャーを装着手段（１）とカップ部（２ａ）に分け、右バスト、左バスト、アンダーバストすべてにフィットするブラジャーを組み合わせることが示されているのであるから、甲第４号証に基いて、種々のアンダーバストに対応すべく、装着手段（１）をカップ用凹部（１ａ）を有する部分と背中に回される部分、すなわちバック部との組合せに敷衍することに格別の困難を要するものとも解されない。
　しかも、バック部は、選定したカップ部（２ａ）との組合せられるカップ用凹部（１ａ）とは直接関係のないものであるから、バック部を設けることにより、乳房を保持するというブラジャーとしての本来的な機能からみて、格別の作用効果が奏されるものとも解されない。
　したがって、甲第４号証発明を踏まえ、甲第１号証発明において、装着手段（１）をカップ用凹部（１ａ）及びその周縁にカップ係着部（１ｂ）が形成された部分と、これらに連結される部分とに分離し、これらを組み合わせることにより、本件特許発明２の相違点２に係る構成とすることは当業者が容易に想到し得ることである。
　以上のとおり、本件特許発明２は、本願出願前に日本国内において頒布された刊行物である甲第１号証ないし甲第６号証に記載された発明に基いて、その発明の属する技術の分野における通常の知識を有する者が特許出願前に容易に発明をすることができたものである　　　
　
４．本件特許発明３について
　本件特許請求の範囲の請求項３は、請求項１又は２を引用し、「カップ受部の上端縁とカップ部の下端縁にそれぞれ設けた一対の面ファスナーによってカップ受部とカップ部を着脱可能とした」点をさらに特定するものである。
　しかしながら、甲第１号証の摘示事項（ｃ）中の段落【００２９】には、カップ係着部（１ｂ）が多数の柔軟パイルを有する起毛パイル製の縁取りテープで構成され、カップ止着部（２ｂ）が多数の鉤小片が植設された構成になっている旨記載されており、上記請求項３で特定された事項は、甲第１号証に実質的に記載されているものといえ、そうでなくても、衣類において、複数のパーツを一対の面ファスナーで着脱可能とすることは、本願出願前より広く採用されていることである。
　したがって、本件特許発明３に係る発明は、本願出願前に日本国内において頒布された刊行物である甲第１号証ないし甲第６号証に記載された発明に基いて、その発明の属する技術の分野における通常の知識を有する者が特許出願前に容易に発明をすることができたものである。
　
５．本件特許発明４について
　本件特許請求の範囲の請求項４は、請求項２又は３を引用し、「カップ受部とバック部をかぎホックによって着脱可能」として点をさらに特定するものである。
　しかしながら、衣類において、複数のパーツをかぎホックによって着脱可能とすることは、本願出願前より広く採用されていることである。
　したがって、上記３の「本件特許発明２について」で述べたように、装着手段（１）をカップ用凹部（１ａ）及びその周縁にカップ係着部（１ｂ）が形成された部分と、これらに連結される部分とに分離して組み合わせるに当たり、かぎホックによって着脱可能とすることは、当業者が適宜採用し得ることである。
　したがって、本件特許発明４に係る発明は、本願出願前に日本国内において頒布された刊行物である甲第１号、甲第２号証及び甲第４号証ないし甲第６号証に記載された発明に基いて、その発明の属する技術の分野における通常の知識を有する者が特許出願前に容易に発明をすることができたものである。　
　
６．本件特許発明５ないし８について
　本件特許発明５は、本件特許発明１の「バージスサイズを変えた複数のカップ受部と、１つのバージスサイズにおいてカップ高さを変えた複数のカップ部との組み合わせからなり、カップ受部に対してカップ部を着脱可能に設けなるカップ部を有する衣類のオーダーメイド用計測サンプル」を用いて、カスタムサイズのカップ部を有するオーダーメイド用計測サンプルの試着を可能とした衣類のオーダーメイド方式ということができる。
　このような関係は、本件特許発明２と本件特許発明６、本件特許発明３と本件特許発明７、そして本件特許発明４と本件特許発明８との関係についても同様である。
　本件特許発明１ないし本件特許発明４が、そもそも衣類のオーダーメイド用計測サンプルであることからみて、これらが試着を前提とした衣類のオーダーメイド方式での使用を前提にしたものであることは明白である。
　しかも、前述のように、甲第５号証及び甲第６号証には、複数の試着服あるいは体型把握用洋服を用意し、衣類のオーダーメイド用計測サンプルとして利用することが記載されており、このことは、こうした試着服あるいは体型把握用洋服の試着を前提とした衣類のオーダーメイド方式を示していることにほかならない。
　したがって、本件特許発明５ないし８は、それぞれ本件特許発明１ないし４について述べたのと同様の理由により、本願出願前に日本国内において頒布された刊行物である甲第１号証ないし甲第６号証に記載された発明に基いて、その発明の属する技術の分野における通常の知識を有する者が特許出願前に容易に発明をすることができたものである。　
　
第６　むすび
　以上のとおり、本件特許発明１ないし８は、いずれも本件出願前に日本国内において頒布された刊行物に記載された発明に基いて、当業者が容易に発明をすることができたものであるから、本件特許発明１ないし８についての特許は、特許法第２９条第２項の規定に違反してなされたものであり、同法第１２３条第１項第２号に該当し無効とすべきものである。
　また、審判に関する費用の負担については、特許法第１６９条第２項の規定において準用する民事訴訟法第６１条により被請求人が負担すべきものとする。　
　よって、結論のとおり審決する。